(57)【要約】【課題】録画時間帯および録画チャンネルの指定により録画予約した番組の中に不必要な番組がある場合に、無用な録画をしないようにすることができる番組録画装置および番組録画方法を提供する。【解決手段】録画予約部１８は、操作入力部１２を通じてユーザが録画時間帯および録画チャンネルを指定した場合に、番組方記憶部１３内の番組表に基づいて、指定された録画チャンネルの指定された録画時間帯に放送される番組を特定し、さらに特定した番組について、放送時間帯および放送チャンネルを特定し、それらを録画時間帯および録画チャンネルとして含む予約リストを作成して、予約リスト記憶部１４に記憶するとともに表示部１７に表示させ、さらに、操作入力部１２を通じて、ユーザが予約リスト内の番組の録画予約のキャンセルを指示した場合に、録画予約のキャンセルを指示された番組を予約リストから消去して、予約リストを更新する。【選択図】図２
2008109377.tif 000002
【特許請求の範囲】
【請求項１】
番組表内の番組を選択することによる録画予約と、録画時間帯および録画チャンネルを指定した録画予約の両方が可能な番組録画装置において、
ユーザからの操作を受け付ける操作入力部と、
放送される番組の映像および音声データを受信する受信部と、
放送される各番組について、タイトル名、放送時間帯および放送チャンネルを定めた番組表を記憶する第１の記憶部と、
録画する番組について、タイトル名、録画時間帯および録画チャンネルを定めた予約リストを記憶する第２の記憶部と、
前記受信部で受信した映像および音声データを記憶する第３の記憶部と、
録画を行なった番組について、タイトル名、その映像および音声データの前記第３の記憶部内の記憶位置を定めた録画リストを記憶する第４の記憶部と、
前記予約リストを表示する表示部と、
前記操作入力部を通じてユーザが前記番組表中の番組の録画を指定した場合に、前記番組表を参照して、前記指定された番組について、タイトル名、放送時間帯および放送チャンネルを特定して、それらをタイトル名、録画時間帯および録画チャンネルとして含む予約リストを作成して、前記第２の記憶部に記憶する録画予約部と、
前記予約リストに従って、前記受信部に、録画予約した番組を構成する映像および音声データを受信させて前記第３の記憶部に記憶する録画部とを備え、
前記録画予約部は、前記操作入力部を通じてユーザが録画時間帯および録画チャンネルを指定した場合に、前記番組表に基づいて、前記指定された録画チャンネルの前記指定された録画時間帯に放送される番組を特定し、さらに前記特定した番組について、タイトル名、放送時間帯および放送チャンネルを特定し、それらをタイトル名、録画時間帯および録画チャンネルとして含む予約リストを作成して、前記第２の記憶部に記憶するとともに前記表示部に表示させ、
前記録画予約部は、さらに、前記操作入力部を通じて、ユーザが前記予約リスト内の番組の録画予約のキャンセルを指示した場合に、前記録画予約のキャンセルを指示された番組を前記予約リストから消去して、前記予約リストを更新し、
前記録画部は、前記予約リストを参照して、少なくとも録画した番組についてタイトル名を特定し、前記第３の記憶部内の前記録画した番組の映像および音声データの記憶位置を特定し、前記特定したタイトル名と前記特定した記憶位置とを少なくとも含む録画番組リストを作成して前記第４の記憶部に記憶する、番組録画装置。
【請求項２】
番組表内の番組を選択することによる録画予約と、録画時間帯および録画チャンネルを指定した録画予約の両方が可能な番組録画装置において、
ユーザからの操作を受け付ける操作入力部と、
放送される番組の映像および音声データを受信する受信部と、
放送される各番組について、放送時間帯および放送チャンネルを定めた番組表を記憶する第１の記憶部と、
録画する番組について、録画時間帯および録画チャンネルを定めた予約リストを記憶する第２の記憶部と、
前記受信部で受信した映像および音声データを記憶する第３の記憶部と、
録画を行なった番組について、その映像および音声データの前記第３の記憶部内の記憶位置を定めた録画リストを記憶する第４の記憶部と、
前記予約リストを表示する表示部と、
前記操作入力部を通じてユーザが前記番組表中の番組の録画を指定した場合に、前記番組表を参照して、前記指定された番組について、放送時間帯および放送チャンネルを特定して、それらを録画時間帯および録画チャンネルとして含む予約リストを作成して、前記第２の記憶部に記憶する録画予約部と、
前記予約リストに従って、前記受信部に、録画予約した番組を構成する映像および音声データを受信させて前記第３の記憶部に記憶する録画部とを備え、
前記録画予約部は、前記操作入力部を通じてユーザが録画時間帯および録画チャンネルを指定した場合に、前記番組表に基づいて、前記指定された録画チャンネルの前記指定された録画時間帯に放送される番組を特定し、さらに前記特定した番組について、放送時間帯および放送チャンネルを特定し、それらを録画時間帯および録画チャンネルとして含む予約リストを作成して、前記第２の記憶部に記憶するとともに前記表示部に表示させ、
前記録画予約部は、さらに、前記操作入力部を通じて、ユーザが前記予約リスト内の番組の録画予約のキャンセルを指示した場合に、前記録画予約のキャンセルを指示された番組を前記予約リストから消去して、前記予約リストを更新し、
前記録画部は、前記第３の記憶部内の前記録画した番組の映像および音声データの記憶位置を特定し、前記特定した記憶位置を少なくとも含む録画番組リストを作成して前記第４の記憶部に記憶する、番組録画装置。
【請求項３】
番組表内の番組を選択することによる録画予約と、録画時間帯および録画チャンネルを指定した録画予約の両方が可能な番組録画装置の番組録画方法において、
前記番組録画装置は、
ユーザからの操作を受け付ける操作入力部と、
放送される番組の映像および音声データを受信する受信部と、
放送される各番組について、タイトル名、放送時間帯および放送チャンネルを定めた番組表を記憶する第１の記憶部と、
録画する番組について、タイトル名、録画時間帯および録画チャンネルを定めた予約リストを記憶する第２の記憶部と、
前記受信部で受信した映像および音声データを記憶する第３の記憶部と、
録画を行なった番組について、タイトル名、その映像および音声データの前記第３の記憶部内の記憶位置を定めた録画リストを記憶する第４の記憶部と、
前記予約リストを表示する表示部とを備え、
前記番組録画方法は、
前記操作入力部を通じてユーザが前記番組表中の番組の録画を指定した場合に、前記番組表を参照して、前記指定された番組について、タイトル名、放送時間帯および放送チャンネルを特定して、それらをタイトル名、録画時間帯および録画チャンネルとして含む予約リストを作成して、前記第２の記憶部に記憶するステップと、
前記操作入力部を通じてユーザが録画時間帯および録画チャンネルを指定した場合に、前記番組表に基づいて、前記指定された録画チャンネルの前記指定された録画時間帯に放送される番組を特定し、さらに前記特定した番組について、タイトル名、放送時間帯および放送チャンネルを特定し、それらをタイトル名、録画時間帯および録画チャンネルとして含む予約リストを作成して、前記第２の記憶部に記憶するとともに前記表示部に表示させるステップと、
前記操作入力部を通じて、ユーザが前記予約リスト内の番組の録画予約のキャンセルを指示した場合に、前記録画予約のキャンセルを指示された番組を前記予約リストから消去して、前記予約リストを更新するステップと、
前記予約リストに従って、前記受信部に、録画予約した番組を構成する映像および音声データを受信させて前記第３の記憶部に記憶するステップと、
前記予約リストを参照して、少なくとも録画した番組についてタイトル名を特定し、前記第３の記憶部内の前記録画した番組の映像および音声データの記憶位置を特定し、前記特定したタイトル名と前記特定した記憶位置とを少なくとも含む録画番組リストを作成して前記第４の記憶部に記憶するステップとを含む、番組録画方法。
【請求項４】
番組表内の番組を選択することによる録画予約と、録画時間帯および録画チャンネルを指定した録画予約の両方が可能な番組録画装置の番組録画方法において、
前記番組録画装置は、
ユーザからの操作を受け付ける操作入力部と、
放送される番組の映像および音声データを受信する受信部と、
放送される各番組について、放送時間帯および放送チャンネルを定めた番組表を記憶する第１の記憶部と、
録画する番組について、録画時間帯および録画チャンネルを定めた予約リストを記憶する第２の記憶部と、
前記受信部で受信した映像および音声データを記憶する第３の記憶部と、
録画を行なった番組について、その映像および音声データの前記第３の記憶部内の記憶位置を定めた録画リストを記憶する第４の記憶部と、
前記予約リストを表示する表示部とを備え、
前記番組録画方法は、
前記操作入力部を通じてユーザが前記番組表中の番組の録画を指定した場合に、前記番組表を参照して、前記指定された番組について、放送時間帯および放送チャンネルを特定して、それらを録画時間帯および録画チャンネルとして含む予約リストを作成して、前記第２の記憶部に記憶するステップと、
前記操作入力部を通じてユーザが録画時間帯および録画チャンネルを指定した場合に、前記番組表に基づいて、前記指定された録画チャンネルの前記指定された録画時間帯に放送される番組を特定し、さらに前記特定した番組について、放送時間帯および放送チャンネルを特定し、それらを録画時間帯および録画チャンネルとして含む予約リストを作成して、前記第２の記憶部に記憶するとともに前記表示部に表示させるステップと、
前記操作入力部を通じて、ユーザが前記予約リスト内の番組の録画予約のキャンセルを指示した場合に、前記録画予約のキャンセルを指示された番組を前記予約リストから消去して、前記予約リストを更新するステップと、
前記予約リストに従って、前記受信部に、録画予約した番組を構成する映像および音声データを受信させて前記第３の記憶部に記憶するステップと、
前記録画部は、前記第３の記憶部内の前記録画した番組の映像および音声データの記憶位置を特定し、前記特定した記憶位置を少なくとも含む録画番組リストを作成して前記第４の記憶部に記憶するステップとを含む、番組録画方法。
【発明の詳細な説明】
【技術分野】
【０００１】
本発明は、番組録画装置および番組録画方法に関し、番組表内の番組を選択することによる録画予約と、録画時間帯および録画チャンネルを指定した録画予約の両方が可能な番組録画装置および番組録画方法に関する。
【背景技術】
【０００２】
従来から、番組表中の番組を指定することによる録画予約と、録画時間帯および録画チャンネルの指定による録画予約の両方の機能を備えた番組録画装置が提供されている。録画時間帯および録画チャンネルの指定による番組の録画予約において、録画時間帯に複数の番組が含まれる場合には、複数の番組が録画されることになるが、各番組を再生するときに、その番組の開始位置を探さなければならず、不便である。
【０００３】
これに対して、たとえば、特許文献１では、録画時間帯の設定により番組の録画が行なわれた後、録画内容を番組ごとに分割する方法が開示されている。
【特許文献１】特開２００４−１４０５２７号公報
【発明の開示】
【発明が解決しようとする課題】
【０００４】
しかしながら、特許文献１では、録画時間帯の番組を録画した後で録画内容の分割を行なうので、録画した番組の中に不要な番組がある場合でも、一旦録画し、録画内容の分割を行なった後で、不要な番組を消去しなければならない。つまり、無用な録画を行なうため、記憶メディアへの無用な書込みが発生し、また電力を無駄に消費する。
【０００５】
それゆえに、本発明の目的は、録画時間帯および録画チャンネルの指定により録画予約した番組の中に不必要な番組がある場合に、無用な番組録画をしないようにすることができる番組録画装置および番組録画方法を提供することである。
【課題を解決するための手段】
【０００６】
上記課題を解決するために、本発明は、番組表内の番組を選択することによる録画予約と、録画時間帯および録画チャンネルを指定した録画予約の両方が可能な番組録画装置において、ユーザからの操作を受け付ける操作入力部と、放送される番組の映像および音声データを受信する受信部と、放送される各番組について、タイトル名、放送時間帯および放送チャンネルを定めた番組表を記憶する第１の記憶部と、録画する番組について、タイトル名、録画時間帯および録画チャンネルを定めた予約リストを記憶する第２の記憶部と、受信部で受信した映像および音声データを記憶する第３の記憶部と、録画を行なった番組について、タイトル名、その映像および音声データの第３の記憶部内の記憶位置を定めた録画リストを記憶する第４の記憶部と、予約リストを表示する表示部と、操作入力部を通じてユーザが番組表中の番組の録画を指定した場合に、番組表を参照して、指定された番組について、タイトル名、放送時間帯および放送チャンネルを特定して、それらをタイトル名、録画時間帯および録画チャンネルとして含む予約リストを作成して、第２の記憶部に記憶する録画予約部と、予約リストに従って、受信部に、録画予約した番組を構成する映像および音声データを受信させて第３の記憶部に記憶する録画部とを備え、録画予約部は、操作入力部を通じてユーザが録画時間帯および録画チャンネルを指定した場合に、番組表に基づいて、指定された録画チャンネルの指定された録画時間帯に放送される番組を特定し、さらに特定した番組について、タイトル名、放送時間帯および放送チャンネルを特定し、それらをタイトル名、録画時間帯および録画チャンネルとして含む予約リストを作成して、第２の記憶部に記憶するとともに表示部に表示させ、録画予約部は、さらに、操作入力部を通じて、ユーザが予約リスト内の番組の録画予約のキャンセルを指示した場合に、録画予約のキャンセルを指示された番組を予約リストから消去して、予約リストを更新し、録画部は、予約リストを参照して、少なくとも録画した番組についてタイトル名を特定し、第３の記憶部内の録画した番組の映像および音声データの記憶位置を特定し、特定したタイトル名と特定した記憶位置とを少なくとも含む録画番組リストを作成して第４の記憶部に記憶する。
【０００７】
また、本発明は、番組表内の番組を選択することによる録画予約と、録画時間帯および録画チャンネルを指定した録画予約の両方が可能な番組録画装置において、ユーザからの操作を受け付ける操作入力部と、放送される番組の映像および音声データを受信する受信部と、放送される各番組について、放送時間帯および放送チャンネルを定めた番組表を記憶する第１の記憶部と、録画する番組について、録画時間帯および録画チャンネルを定めた予約リストを記憶する第２の記憶部と、受信部で受信した映像および音声データを記憶する第３の記憶部と、録画を行なった番組について、その映像および音声データの第３の記憶部内の記憶位置を定めた録画リストを記憶する第４の記憶部と、予約リストを表示する表示部と、操作入力部を通じてユーザが番組表中の番組の録画を指定した場合に、番組表を参照して、指定された番組について、放送時間帯および放送チャンネルを特定して、それらを録画時間帯および録画チャンネルとして含む予約リストを作成して、第２の記憶部に記憶する録画予約部と、予約リストに従って、受信部に、録画予約した番組を構成する映像および音声データを受信させて第３の記憶部に記憶する録画部とを備え、録画予約部は、操作入力部を通じてユーザが録画時間帯および録画チャンネルを指定した場合に、番組表に基づいて、指定された録画チャンネルの指定された録画時間帯に放送される番組を特定し、さらに特定した番組について、放送時間帯および放送チャンネルを特定し、それらを録画時間帯および録画チャンネルとして含む予約リストを作成して、第２の記憶部に記憶するとともに表示部に表示させ、録画予約部は、さらに、操作入力部を通じて、ユーザが予約リスト内の番組の録画予約のキャンセルを指示した場合に、録画予約のキャンセルを指示された番組を予約リストから消去して、予約リストを更新し、録画部は、第３の記憶部内の録画した番組の映像および音声データの記憶位置を特定し、特定した記憶位置を少なくとも含む録画番組リストを作成して第４の記憶部に記憶する。
【０００８】
また、本発明は、番組表内の番組を選択することによる録画予約と、録画時間帯および録画チャンネルを指定した録画予約の両方が可能な番組録画装置の番組録画方法において、番組録画装置は、ユーザからの操作を受け付ける操作入力部と、放送される番組の映像および音声データを受信する受信部と、放送される各番組について、タイトル名、放送時間帯および放送チャンネルを定めた番組表を記憶する第１の記憶部と、録画する番組について、タイトル名、録画時間帯および録画チャンネルを定めた予約リストを記憶する第２の記憶部と、受信部で受信した映像および音声データを記憶する第３の記憶部と、録画を行なった番組について、タイトル名、その映像および音声データの第３の記憶部内の記憶位置を定めた録画リストを記憶する第４の記憶部と、予約リストを表示する表示部とを備え、番組録画方法は、操作入力部を通じてユーザが番組表中の番組の録画を指定した場合に、番組表を参照して、指定された番組について、タイトル名、放送時間帯および放送チャンネルを特定して、それらをタイトル名、録画時間帯および録画チャンネルとして含む予約リストを作成して、第２の記憶部に記憶するステップと、操作入力部を通じてユーザが録画時間帯および録画チャンネルを指定した場合に、番組表に基づいて、指定された録画チャンネルの指定された録画時間帯に放送される番組を特定し、さらに特定した番組について、タイトル名、放送時間帯および放送チャンネルを特定し、それらをタイトル名、録画時間帯および録画チャンネルとして含む予約リストを作成して、第２の記憶部に記憶するとともに表示部に表示させるステップと、操作入力部を通じて、ユーザが予約リスト内の番組の録画予約のキャンセルを指示した場合に、録画予約のキャンセルを指示された番組を予約リストから消去して、予約リストを更新するステップと、予約リストに従って、受信部に、録画予約した番組を構成する映像および音声データを受信させて第３の記憶部に記憶するステップと、予約リストを参照して、少なくとも録画した番組についてタイトル名を特定し、第３の記憶部内の録画した番組の映像および音声データの記憶位置を特定し、特定したタイトル名と特定した記憶位置とを少なくとも含む録画番組リストを作成して第４の記憶部に記憶するステップとを含む。
【０００９】
また、本発明は、番組表内の番組を選択することによる録画予約と、録画時間帯および録画チャンネルを指定した録画予約の両方が可能な番組録画装置の番組録画方法において、番組録画装置は、ユーザからの操作を受け付ける操作入力部と、放送される番組の映像および音声データを受信する受信部と、放送される各番組について、放送時間帯および放送チャンネルを定めた番組表を記憶する第１の記憶部と、録画する番組について、録画時間帯および録画チャンネルを定めた予約リストを記憶する第２の記憶部と、受信部で受信した映像および音声データを記憶する第３の記憶部と、録画を行なった番組について、その映像および音声データの第３の記憶部内の記憶位置を定めた録画リストを記憶する第４の記憶部と、予約リストを表示する表示部とを備え、番組録画方法は、操作入力部を通じてユーザが番組表中の番組の録画を指定した場合に、番組表を参照して、指定された番組について、放送時間帯および放送チャンネルを特定して、それらを録画時間帯および録画チャンネルとして含む予約リストを作成して、第２の記憶部に記憶するステップと、操作入力部を通じてユーザが録画時間帯および録画チャンネルを指定した場合に、番組表に基づいて、指定された録画チャンネルの指定された録画時間帯に放送される番組を特定し、さらに特定した番組について、放送時間帯および放送チャンネルを特定し、それらを録画時間帯および録画チャンネルとして含む予約リストを作成して、第２の記憶部に記憶するとともに表示部に表示させるステップと、操作入力部を通じて、ユーザが予約リスト内の番組の録画予約のキャンセルを指示した場合に、録画予約のキャンセルを指示された番組を予約リストから消去して、予約リストを更新するステップと、予約リストに従って、受信部に、録画予約した番組を構成する映像および音声データを受信させて第３の記憶部に記憶するステップと、録画部は、第３の記憶部内の録画した番組の映像および音声データの記憶位置を特定し、特定した記憶位置を少なくとも含む録画番組リストを作成して第４の記憶部に記憶するステップとを含む。
【発明の効果】
【００１０】
本発明によれば、録画時間帯および録画時間帯の指定により録画予約した番組の中に不要な番組がある場合に、無用な番組録画をしないようにすることができる。
【発明を実施するための最良の形態】
【００１１】
以下、本発明に係る実施の形態について図面を参照して説明する。
（構成）
図１は、本発明の実施形態の番組録画装置の外観を表わす図である。
【００１２】
図１を参照して、番組録画装置１は、本体３１と、リモコン３２とを備える。本体３１から出力された映像データは、テレビジョン４１に表示される。
【００１３】
本体３１は、リモコン３２からの信号を受信する受光部３３と、ＤＶＤ(Digital Versatile Disk)４２を挿入するための挿入口３７と、不揮発性メモリ３５と、ＨＤＤ(Hard Disk Drive)３６と、アンテナ４３に接続されるチューナ３４とを含む。
【００１４】
図２は、本発明の実施形態の番組録画装置の機能ブロック図である。
図２を参照して、番組録画装置１は、受信部１１と、操作入力部１２と、番組表記憶部１３と、録画予約部１８と、予約リスト記憶部１４と、表示部１７と、録画部１９と、映像および音声データ記憶部１５と、録画リスト記憶部１６と、再生部２０とを備える。
【００１５】
操作入力部１２は、ユーザから録画予約操作、録画予約のキャンセル操作を受け付ける。操作入力部１２は、具体的には、図１のリモコン３２および受光部３３によって実現される。
【００１６】
受信部１１は、放送される番組の映像および音声データを受信する。受信部１１は、具体的には図１のチューナ３４によって実現される。
【００１７】
表示部１７は、録画予約時に番組表および予約リストをテレビジョン４１に表示し、再生設定時に、録画予約リストをテレビジョン４１に表示し、再生時に番組を構成する映像データをテレビジョン４１に表示する。
【００１８】
番組表記憶部１３は、放送される各番組について、タイトル名、放送時間帯および放送チャンネルを定めた番組表を記憶する。番組表記憶部１３は、たとえば図１の不揮発性メモリ３５によって実現される。
【００１９】
予約リスト記憶部１４は、録画する番組について、タイトル名、録画時間帯、録画チャンネルおよび記憶媒体を定めた予約リストを記憶する。予約リスト記憶部１４は、たとえば図１の不揮発性メモリ３５によって実現される。
【００２０】
映像および音声データ記憶部１５は、受信部１１で受信した映像および音声データを記憶する。映像および音声データ記憶部１５は、図１のＤＶＤ４２およびＨＤＤ３６によって実現される。ユーザは、録画予約時に、記録媒体をＤＶＤ４２およびＨＤＤ３６のいずれかに指定することができる。
【００２１】
録画リスト記憶部１６は、録画を行なった番組について、タイトル名、録画時間帯、録画チャンネル、記憶媒体、その映像および音声データの映像および音声データ記憶部１５内の記憶位置を定めた録画リストを記憶する番組録画リストを記憶する。録画リスト記憶部１６は、たとえば図１の不揮発性メモリ３５によって実現される。
【００２２】
録画予約部１８は、操作入力部１２を通じて、ユーザが番組表を表示部１７に表示させて、番組表の中の番組の録画と記憶媒体を指定した場合に、番組表を参照して、指定された番組についての、タイトル名、放送時間帯および放送チャンネルを特定し、それらをタイトル名、録画時間帯、録画チャンネルとして含み、かつ指定された記憶媒体を含む予約リストを作成して、予約リスト記憶部１４に記憶する。
【００２３】
また、録画予約部１８は、操作入力部１２を通じて、ユーザが録画時間帯、録画チャンネル、および記憶媒体を指定した場合に、番組表を参照して、指定された録画チャンネルにおいて、指定された録画時間帯に放送される番組を特定し、さらに、番組表を参照して、特定した番組についてのタイトル名、放送時間帯および放送チャンネルを特定し、それらをタイトル名、録画時間帯、録画チャンネルとして含み、かつ指定された記憶媒体を含む予約リストを作成して、予約リスト記憶部１４に記憶するともに、表示部１７に表示させる。
【００２４】
また、録画予約部１８は、操作入力部１２を通じて、ユーザが、予約リストに含まれる番組の中で、録画予約をキャンセルしたい番組を指定した場合に、予約リストから録画予約のキャンセルを指示された番組を削除して、予約リストを更新する。
【００２５】
録画部１９は、予約リストに含まれる各番組について、録画を行なう。すなわち、録画部１９は、受信部１１を指示して、各番組について、録画時間帯において録画チャンネルの映像および音声データを受信させて、映像および音声データ記憶部１５に記憶させる。また、録画部１９は、番組録画後に、予約リストを参照して録画した番組についてタイトル名、録画時間帯、録画チャンネルおよび記憶媒体を特定し、映像および音声データ記憶部１５内における録画した番組の映像および音声データの記憶位置を特定し、特定したタイトル名、録画時間帯、録画チャンネルおよび記憶媒体を含み、かつ特定した記憶位置とを含む録画リストを作成して、録画リスト記憶部１６に記憶する。
【００２６】
再生部２０は、再生設定時に録画予約リストを表示部１７に表示させ、操作入力部１２を通じて指定された番組について、録画予約リスト内の記憶媒体の記憶位置から番組を構成する映像および音声データを読出して再生する。
【００２７】
（動作）
次に、本発明の実施形態の番組録画装置の番組録画動作を説明する。
【００２８】
図３は、本発明の実施形態の番組録画装置の動作手順を表わすフローチャートである。
図４〜図９は、この番組録画装置の番組録画動作を説明するための図である。
【００２９】
図３〜図９を参照して、操作入力部１２を通じて、ユーザが番組表を表示部１７に表示させて、番組表の中の番組の録画と録画する番組を記憶する記憶媒体を指定した場合に（ステップＳ１０１でＹＥＳ）、録画予約部１８は、番組表を参照して、指定された番組についての、タイトル名、放送時間帯（日付、開始時刻、終了時刻からなる）および放送チャンネルを特定し、それらをタイトル名、録画時間帯（日付、開始時刻、終了時刻からなる）、録画チャンネルとして含み、かつ指定された記憶媒体を含む予約リストを作成して、予約リスト記憶部１４に記憶する（ステップＳ１０２）。
【００３０】
操作入力部１２を通じて、ユーザが録画時間帯（日付、開始時刻、終了時刻からなる）、録画チャンネル、および記憶する番組を記憶する記憶媒体を指定した場合に（ステップＳ１０３でＹＥＳ）、録画予約部１８は、番組表を参照して、指定された録画チャンネルにおいて、指定された録画時間帯に放送される番組を特定する。録画予約部１８は、番組表を参照して、特定した番組についてのタイトル名、放送時間帯（日付、開始時刻、終了時刻からなる）および放送チャンネルを特定し、それらをタイトル名、録画時間帯（日付、開始時刻、終了時刻からなる）、録画チャンネルとして含み、かつ指定された記憶媒体を含む予約リストを作成して、予約リスト記憶部１４に記憶するともに、表示部１７に表示させる（ステップＳ１０４）。
【００３１】
図４は、録画予約の設定画面の例を表わす図である。
図４を参照して、ユーザは、リモコン３２のキーを操作することによって、録画時間帯を「７月１１日  ２１：００」〜「７月１１日  ２３：００」に指定し、録画チャンネルを「６ｃｈ」に指定し、記憶媒体（Ｍｏｄｅ）をＨＤＤに指定する。
【００３２】
図５は、番組表の例を表わす図である。
図５を参照して、番組表は、タイトル名と、放送時間帯（日付、開始時刻、終了時刻からなる）と、放送チャンネル（ＣＨ）とを含む。
【００３３】
図６は、表示される予約リストの例を表わす図である。
図６を参照して、指定された録画チャンネル「６ｃｈ」において、指定された録画時間帯「７月１１日  ２１：００〜７月１１日  ２３：００」に放送される番組は、図５の番組表において、番組Ａ、番組Ｂ、番組Ｃおよび番組Ｄである。したがって、図６に示すように、番組Ａ、番組Ｂ、番組Ｃおよび番組Ｄについてのタイトル名、放送時間帯および放送チャンネルをそれぞれタイトル名、録画時間帯（日付、開始時刻、終了時刻）、録画チャンネルとして含み、かつ指定された記憶媒体「ＨＤＤ」を記憶媒体（Ｍｏｄｅ）として含む予約リストが作成される。
【００３４】
次に、操作入力部１２を通じて、ユーザが、予約リストに含まれる番組の中で、録画予約をキャンセルしたい番組を指定した場合に（ステップＳ１０５でＹＥＳ）、録画予約部１８は、予約リストから録画予約のキャンセルを指示された番組を削除して、予約リストを更新する（ステップＳ１０６）。
【００３５】
図７は、録画予約のキャンセルの設定画面の例を表わす図である。
図７を参照して、ユーザは、リモコン３２のキーを操作することによって、番組Ｃの録画予約のキャンセルを指示する。
【００３６】
図８は、更新された予約リストの例を表わす図である。
図８を参照して、予約リストから、録画予約のキャンセルを指示された番組Ｃが削除されている。
【００３７】
次に、録画部１９は、予約リストに含まれる各番組について、録画を行なう。すなわち、録画部１９は、受信部１１を指示して、各番組について、録画時間帯に録画チャンネルの映像および音声データを受信させて、映像および音声データ記憶部１５に記憶させる（ステップＳ１０７）。
【００３８】
次に、録画部１９は、予約リストを参照して録画した番組についてタイトル名、録画時間帯、録画チャンネルおよび記憶媒体（Ｍｏｄｅ）を特定し、映像および音声データ記憶部１５内における録画した番組の映像および音声データの記憶位置を特定し、特定したタイトル名、録画時間帯、録画チャンネルおよび記憶媒体（Ｍｏｄｅ）を含み、かつ特定した記憶位置とを含む録画リストを作成して、録画リスト記憶部１６に記憶する（ステップＳ１０８）。
【００３９】
図９は、図８の予約リストで録画が行なわれた後に作成される録画リストの例を表わす図である。
【００４０】
図９を参照して、録画リストは、録画が行なわれた番組Ａについて、タイトル名「○○×」、録画時間帯「「７月１１日  ２１：００〜７月１１日  ２１：５４」、録画チャンネル「６」、記憶媒体（Ｍｏｄｅ）「ＨＤＤ」、記憶位置「Ｘ」とを含み、録画が行なわれた番組Ｂについて、タイトル名「○△△」、録画時間帯「「７月１１日  ２１：５４〜７月１１日  ２２：００」、録画チャンネル「６」、記憶媒体（Ｍｏｄｅ）「ＨＤＤ」、記憶位置「Ｙ」とを含み、録画が行なわれた番組Ｄについて、タイトル名「○×○」、録画時間帯「「７月１１日  ２２：５４〜７月１１日  ２３：００」、録画チャンネル「６」、記憶媒体（Ｍｏｄｅ）「ＨＤＤ」、記憶位置置「Ｚ」とを含む。
【００４１】
以上のように、本発明の実施形態の番組録画装置によれば、録画時間帯および録画チャンネルの指定により録画予約した番組の中に不必要な番組がある場合でも、番組表に基づいて、指定した録画チャンネルで指定された録画時間帯に放送される番組についての予約リストが作成されているので、予約リストから不必要な番組を削除することで、無用な番組録画をしないようにすることができる。また、番組表に基づいて、タイトル名を含む予約リストが作成され、そのタイトル名が録画リストに書き込まれるので、番組録画後に、ユーザが、タイトル名を入力する手間を省くことができる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４３】
【図１】本発明の実施形態の番組録画装置の外観を表わす図である。
【図２】本発明の実施形態の番組録画装置の機能ブロック図である。
【図３】本発明の実施形態の番組録画装置の動作手順を表わすフローチャートである。
【図４】録画予約の設定画面の例を表わす図である。
【図５】番組表の例を表わす図である。
【図６】表示される予約リストの例を表わす図である。
【図７】録画予約のキャンセルの設定画面例を表わす図である。
【図８】更新された予約リストの例を表わす図である。
【図９】図８の予約リストで録画が行なわれた後に作成される録画リストの例を表わす図である。
【符号の説明】
【００４４】
１  番組録画装置、１１  受信部、１２  操作入力部、１３  番組表記憶部、１４  予約リスト記憶部、１５  映像および音声データ記憶部、１６  録画リスト記憶部、１７  表示部、１８  録画予約部、１９  録画部、２０  再生部、３１  本体、３２  リモコン、３３  受光部、３４  チューナ、３５  不揮発性メモリ、３６  ＨＤＤ、３７  挿入口、４１  テレビジョン、４２  ＤＶＤ、４３  アンテナ。
【図１】
2008109377.tif 000003
【図２】
2008109377.tif 000004
【図３】
2008109377.tif 000005
【図４】
2008109377.tif 000006
【図５】
2008109377.tif 000007
【図６】
2008109377.tif 000008
【図７】
2008109377.tif 000009
【図８】
2008109377.tif 000010
【図９】
2008109377.tif 000011